(57)【要約】【課題】電波が届かない場所等において、携帯無線電話機による電子メール又は音声等の送信を可能にする手段を提供する。【解決手段】電波が届かない場所で携帯無線電話機１によるメールの送受信を行う場合、モデム内蔵アダプター２を介して携帯無線電話機１を公衆回線３と接続する。モデム内蔵アダプター２には予め各サービスセンター４の設置地点が登録されており、携帯無線電話機１の表示パネルに表示されている設置地点の中から所望の設置地点を選択して指定すると、モデム内蔵アダプター２は指定された設置地点のサービスセンター４にダイヤリングすることにより携帯無線電話機１とサービスセンター４を接続する。サービスセンター４に接続した後は、サービスセンター４を介して、携帯無線電話機１の通常の操作でメールを受信したり、作成した文書を送信したりすることが可能となる。【選択図】        図１
2004349868.tif 000002
【特許請求の範囲】
【請求項１】
音声通話機能と電子メールの送受信機能を有する携帯無線電話機と、
前記携帯無線電話機と公衆回線の間に接続され、前記携帯無線電話機と公衆回線の間でメールデータのデジタル／アナログ変換を行う機能及び、前記携帯無線電話機からＩＤを取得し、メールの保管・転送を行うサービスセンターとの間で自動認証を行う機能を有するモデム内蔵アダプターと、
前記携帯無線電話機宛に届いたメールの保管、および前記携帯無線電話機から送信したメールを宛先へ転送する機能を有する前記サービスセンターとを備え、
前記公衆回線を介して前記携帯無線電話機によるメールの送受信を行うことを可能にしたことを特徴とするメール送受信システム。
【請求項２】
前記モデム内蔵アダプターには予め前記サービスセンターの設置地点が登録されており、前記モデム内蔵アダプターが前記携帯無線電話機と公衆回線の間に接続されたとき、前記モデム内蔵アダプターに登録されている前記サービスセンターの設置地点が前記携帯無線電話機の表示パネルに表示され、該表示パネルに表示されている前記設置地点がユーザにより指定されたとき、該指定された設置地点のサービスセンターと前記携帯無線電話機とが公衆回線を介して接続されることを特徴とする請求項２に記載のメール送受信システム。
【請求項３】
前記モデム内蔵アダプターはＧＰＳ機能を内蔵し、かつ前記モデム内蔵アダプターには予め前記サービスセンターの設置地点が登録されており、前記モデム内蔵アダプターが前記携帯無線電話機と公衆回線の間に接続されたとき、該接続地点が前記ＧＰＳ機能により検出され、該検出された接続地点と最も近い設置地点にある前記サービスセンターが自動的に選択され、該選択されたサービスセンターと前記携帯無線電話機とが公衆回線を介して接続されることを特徴とする請求項２に記載のメール送受信システム。
【請求項４】
請求項１〜３のいずれかに記載されたメール送受信システムに用いられるモデム内蔵アダプターであって、
前記携帯無線電話機と公衆回線の間に接続され、前記携帯無線電話機と公衆回線の間でメールデータのデジタル／アナログ変換を行う機能及び、前記携帯無線電話機からＩＤを取得し、メールの保管・転送を行う前記サービスセンターとの間で自動認証を行う機能を有することを特徴とするモデム内蔵アダプター。
【請求項５】
音声通話機能と電子メールの送受信機能を有する携帯無線電話機と、
前記携帯無線電話機と国外の公衆回線の間に接続され、前記携帯無線電話機と前記公衆回線の間でメールデータのデジタル／アナログ変換を行う機能及び、前記携帯無線電話機からＩＤを取得し、前記国外のローミングサービスセンターを経由してメールの保管・転送を行うサービスセンターとの間で自動認証を行う機能を有するモデム内蔵アダプターと、
前記ローミングサービスセンターとインターネットを介して接続され、前記携帯無線電話機宛に届いたメールの保管、および前記携帯無線電話機から送信したメールを宛先へ転送する機能を有するサービスセンターとを備え、
前記公衆回線を介して前記携帯無線電話機と前記サービスセンターとの間でメールの送受信を行うことを可能にしたことを特徴とするメール送受信システム。
【請求項６】
前記モデム内蔵アダプターには予め前記ローミングサービスセンターの設置地点が登録されており、前記モデム内蔵アダプターが前記携帯無線電話機と前記国外の公衆回線の間に接続されたとき、前記モデム内蔵アダプターに登録されている前記ローミングサービスセンターの設置地点が前記携帯無線電話機の表示パネルに表示され、該表示パネルに表示されている前記設置地点がユーザにより指定されたとき、該指定された設置地点のローミングサービスセンターと前記携帯無線電話機とが前記公衆回線を介して接続されることを特徴とする請求項５に記載のメール送受信システム。
【請求項７】
前記モデム内蔵アダプターはＧＰＳ機能を内蔵し、かつ前記モデム内蔵アダプターには予め前記ローミングサービスセンターの設置地点が登録されており、前記モデム内蔵アダプターが前記携帯無線電話機と前記公衆回線の間に接続されたとき、該接続地点が前記ＧＰＳ機能により検出され、該検出された接続地点と最も近い設置地点にある前記ローミングサービスセンターが自動的に選択され、該選択されたローミングサービスセンターと前記携帯無線電話機とが前記公衆回線を介して接続されることを特徴とする請求項５に記載のメール送受信システム。
【請求項８】
請求項５〜７のいずれかに記載されたメール送受信システムに用いられるモデム内蔵アダプターであって、
前記携帯無線電話機と前記公衆回線の間に接続され、前記携帯無線電話機と前記公衆回線の間でメールデータのデジタル／アナログ変換を行う機能及び、前記携帯無線電話機からＩＤを取得し、メールの保管・転送を行う前記サービスセンターとの間で自動認証を行う機能を有することを特徴とするモデム内蔵アダプター。
【請求項９】
音声通話機能を有する携帯無線電話機と、
前記携帯無線電話機と公衆回線の間に接続され、前記携帯無線電話機と公衆回線の間で音声データのデジタル／アナログ変換を行う機能及び、前記携帯無線電話機からＩＤを取得し、前記音声データの転送を行う第１のサービスセンターとの間で自動認証を行う機能を有するモデム内蔵アダプターと、
前記携帯無線電話機からの音声データを、専用のＩＰ電話網を介して、公衆回線と接続された着信側の第２のサービスセンターに転送する機能を有する前記第１のサービスセンターとを備え、
前記公衆回線を介して前記携帯無線電話機による音声の送受信を行うことを可能にしたことを特徴とする音声送受信システム。
【請求項１０】
前記モデム内蔵アダプターには予め前記サービスセンターの設置地点が登録されており、前記モデム内蔵アダプターが前記携帯無線電話機と公衆回線の間に接続されたとき、前記モデム内蔵アダプターに登録されている前記サービスセンターの設置地点が前記携帯無線電話機の表示パネルに表示され、該表示パネルに表示されている前記設置地点がユーザにより指定されたとき、該指定された設置地点のサービスセンターと前記携帯無線電話機とが公衆回線を介して接続されることを特徴とする請求項９に記載の音声送受信システム。
【請求項１１】
前記モデム内蔵アダプターはＧＰＳ機能を内蔵し、かつ前記モデム内蔵アダプターには予め前記サービスセンターの設置地点が登録されており、前記モデム内蔵アダプターが前記携帯無線電話機と公衆回線の間に接続されたとき、該接続地点が前記ＧＰＳ機能により検出され、該検出された接続地点と最も近い設置地点にある前記サービスセンターが自動的に選択され、該選択されたサービスセンターと前記携帯無線電話機とが公衆回線を介して接続されることを特徴とする請求項９に記載の音声送受信システム。
【請求項１２】
請求項９〜１１のいずれかに記載された音声送受信システムに用いられるモデム内蔵アダプターであって、
前記携帯無線電話機と前記公衆回線の間に接続され、前記携帯無線電話機と前記公衆回線の間で音声データのデジタル／アナログ変換を行う機能及び、前記携帯無線電話機からＩＤを取得し、前記音声データの転送を行うサービスセンターとの間で自動認証を行う機能を有することを特徴とするモデム内蔵アダプター。
【請求項１３】
音声通話機能を有する携帯無線電話機と、
前記携帯無線電話機と国外の公衆回線の間に接続され、前記携帯無線電話機と前記公衆回線の間で音声データのデジタル／アナログ変換を行う機能及び、前記携帯無線電話機からＩＤを取得し、前記国外のローミングサービスセンター及びインターネットを経由した前記音声データの転送を行うＶｏＩＰゲートウェイ機能を備えたサービスセンターとの間で自動認証を行う機能を有するモデム内蔵アダプターと、
前記携帯無線電話機からの音声データを、インターネットを介して国内の公衆回線へ転送する前記ＶｏＩＰゲートウェイ機能を備えたサービスセンターとを備え、
前記国外の公衆回線および国内の公衆回線を介して前記携帯無線電話機による音声の送受信を行うことを可能にしたことを特徴とする音声送受信システム。
【請求項１４】
前記モデム内蔵アダプターには予め前記ローミングサービスセンターの設置地点が登録されており、前記モデム内蔵アダプターが前記携帯無線電話機と前記国外の公衆回線の間に接続されたとき、前記モデム内蔵アダプターに登録されている前記ローミングサービスセンターの設置地点が前記携帯無線電話機の表示パネルに表示され、該表示パネルに表示されている前記設置地点がユーザにより指定されたとき、該指定された設置地点のローミングサービスセンターと前記携帯無線電話機とが前記公衆回線を介して接続されることを特徴とする請求項１３に記載の音声送受信システム。
【請求項１５】
前記モデム内蔵アダプターはＧＰＳ機能を内蔵し、かつ前記モデム内蔵アダプターには予め前記ローミングサービスセンターの設置地点が登録されており、前記モデム内蔵アダプターが前記携帯無線電話機と前記公衆回線の間に接続されたとき、該接続地点が前記ＧＰＳ機能により検出され、該検出された接続地点と最も近い設置地点にある前記ローミングサービスセンターが自動的に選択され、該選択されたローミングサービスセンターと前記携帯無線電話機とが前記公衆回線を介して接続されることを特徴とする請求項１３に記載の音声送受信システム。
【請求項１６】
請求項１３〜１５のいずれかに記載された音声送受信システムに用いられるモデム内蔵アダプターであって、
前記携帯無線電話機と前記国外の公衆回線の間に接続され、前記携帯無線電話機と前記国外の公衆回線の間で音声データのデジタル／アナログ変換を行う機能及び、前記携帯無線電話機からＩＤを取得し、前記ＶｏＩＰゲートウェイ機能を備えたサービスセンターとの間で自動認証を行う機能を有することを特徴とするモデム内蔵アダプター。
【請求項１７】
音声通話機能と電子メールの送受信機能を有する携帯無線電話機と、
前記携帯無線電話機と無線ＬＡＮ基地局を介してＩＳＰが提供するＩＰ網の間に接続され、前記携帯無線電話機と前記ＩＰ網の間でメールデータのデジタル／アナログ変換を行う機能及び、前記携帯無線電話機からＩＤを取得し、メールの保管・転送を行う前記ＩＳＰのサービスセンターとの間で自動認証を行う機能を有する無線ＬＡＮ機能付モデム内蔵アダプターと、
前記携帯無線電話機宛に届いたメールの保管、および前記携帯無線電話機から送信したメールを宛先へ転送する機能を有する前記サービスセンターとを備え、
前記ＩＰ網を介して前記携帯無線電話機によるメールの送受信を行うことを可能にしたことを特徴とするメール送受信システム。
【請求項１８】
前記モデム内蔵アダプターには予め前記サービスセンターの設置地点が登録されており、前記モデム内蔵アダプターが無線ＬＡＮにより前記携帯無線電話機と前記ＩＰ網の間に接続されたとき、前記モデム内蔵アダプターに登録されている前記サービスセンターの設置地点が前記携帯無線電話機の表示パネルに表示され、該表示パネルに表示されている前記設置地点がユーザにより指定されたとき、該指定された設置地点のサービスセンターと前記携帯無線電話機とが前記ＩＰ網を介して接続されることを特徴とする請求項１７に記載のメール送受信システム。
【請求項１９】
前記モデム内蔵アダプターはＧＰＳ機能を内蔵し、かつ前記モデム内蔵アダプターには予め前記サービスセンターの設置地点が登録されており、前記モデム内蔵アダプターが無線ＬＡＮ前記携帯無線電話機と前記ＩＰ網の間に接続されたとき、該接続地点が前記ＧＰＳ機能により検出され、該検出された接続地点と最も近い設置地点にある前記サービスセンターが自動的に選択され、該選択されたサービスセンターと前記携帯無線電話機とが前記ＩＰ網を介して接続されることを特徴とする請求項１７に記載のメール送受信システム。
【請求項２０】
請求項１７〜１９のいずれかに記載されたメール送受信システムに用いられるモデム内蔵アダプターであって、
前記携帯無線電話機と前記ＩＰ網の間を無線ＬＡＮにより接続する機能と、前記携帯無線電話機と前記ＩＰ網の間でメールデータのデジタル／アナログ変換を行う機能及び、前記携帯無線電話機からＩＤを取得し、メールの保管・転送を行う前記サービスセンターとの間で自動認証を行う機能を有することを特徴とする無線ＬＡＮ機能付モデム内蔵アダプター。
【請求項２１】
音声通話機能と電子メールの送受信機能を有する携帯無線電話機と、
前記携帯無線電話機と無線ＬＡＮ基地局を介してＩＳＰが提供するＩＰ網の間に接続され、前記携帯無線電話機と前記ＩＰ網の間でメールデータのデジタル／アナログ変換を行う機能及び、前記携帯無線電話機からＩＤを取得し、前記ＩＰ網を提供するＩＳＰのローミングサービスセンターを経由してメールの保管・転送を行うサービスセンターとの間で自動認証を行う機能を有する無線ＬＡＮ機能付モデム内蔵アダプターと、
前記ローミングサービスセンターとインターネットを介して接続され、前記携帯無線電話機宛に届いたメールの保管、および前記携帯無線電話機から送信したメールを宛先へ転送する機能を有するサービスセンターとを備え、
前記ＩＰ網及びインターネットを介して前記携帯無線電話機と前記サービスセンターとの間でメールの送受信を行うことを可能にしたことを特徴とするメール送受信システム。
【請求項２２】
前記モデム内蔵アダプターには予め前記ローミングサービスセンターの設置地点が登録されており、前記モデム内蔵アダプターが無線ＬＡＮにより前記携帯無線電話機と前記ＩＰ網の間に接続されたとき、前記モデム内蔵アダプターに登録されている前記ローミングサービスセンターの設置地点が前記携帯無線電話機の表示パネルに表示され、該表示パネルに表示されている前記設置地点がユーザにより指定されたとき、該指定された設置地点のローミングサービスセンターと前記携帯無線電話機とが前記ＩＰ網を介して接続されることを特徴とする請求項２１に記載のメール送受信システム。
【請求項２３】
前記モデム内蔵アダプターはＧＰＳ機能を内蔵し、かつ前記モデム内蔵アダプターには予め前記ローミングサービスセンターの設置地点が登録されており、前記モデム内蔵アダプターが無線ＬＡＮにより前記携帯無線電話機と前記ＩＰ網の間に接続されたとき、該接続地点が前記ＧＰＳ機能により検出され、該検出された接続地点と最も近い設置地点にある前記ローミングサービスセンターが自動的に選択され、該選択されたローミングサービスセンターと前記携帯無線電話機とが前記ＩＰ網を介して接続されることを特徴とする請求項２１に記載のメール送受信システム。
【請求項２４】
請求項２１〜２３のいずれかに記載されたメール送受信システムに用いられるモデム内蔵アダプターであって、
前記携帯無線電話機と前記ＩＰ網の間を無線ＬＡＮにより接続する機能と、前記携帯無線電話機と前記ＩＰ網の間でメールデータのデジタル／アナログ変換を行う機能及び、前記携帯無線電話機からＩＤを取得し、メールの保管・転送を行う前記サービスセンターとの間で自動認証を行う機能を有することを特徴とする無線ＬＡＮ機能付モデム内蔵アダプター。
【発明の詳細な説明】
【０００１】
【発明の属する技術分野】
本発明は、携帯無線電話機に関し、特に、電子メール等の情報を送受信する機能を備えた携帯無線電話機に関する。
【０００２】
【従来の技術】
近年、携帯無線電話機単体で電子メールの送受信が可能なシステムが普及しつつある（特許文献１〜２参照）。
【０００３】
このようなメール送受信システムは通常、音声通話機能と電子メールの送受信機能を有する携帯無線電話機と、該携帯無線電話機と無線で通信を行い、中継サーバーと携帯無線電話機との間でデータを転送する機能を有する無線基地局と、前記携帯無線電話機とインターネット網にあるメールサーバー間でデータを中継する機能を有する前記中継サーバーと、前記携帯無線電話機宛の電子メールを保存し、また、前記携帯無線電話機から送信された電子メールを、インターネット網を介して宛先に送信する機能を有するメールサーバーとによって構成される。
【０００４】
【特許文献１】
特開２００１−７７９３９号公報
【特許文献２】
特開２００２−４４７３７号公報
【０００５】
【発明が解決しようとする課題】
携帯無線電話機は、電波伝搬状況の悪いビル内や地下街等、周辺の状況や無線通信の可能な圏内か否かによってその送受信が影響を受けるため、常に無線通信の可能な状態にあるとは限らず、例えば電子メールを送信することができない場合が生ずるという問題がある。
【０００６】
また、海外（国外）への旅行や出張中にはこの携帯無線電話機によるメールのやりとりができないという問題がある。最近ではカメラ付き携帯無線電話機が急速に普及しつつあり、旅行先から写真付きメールを送りたいといった要望が増えていくことが予想されるが、従来のメール機能付き携帯電話機ではこのような要望に応えることができない。海外の場合、ノートパソコンを持参すればメールのやりとりはできるが、荷物になるし何処でも気軽に使えないといった問題がある。
【０００７】
本発明の目的は、上記問題点に鑑み、電波が届かない場所あるいは海外（国外）等、携帯無線電話機が使用できない環境において、携帯無線電話機による電子メール又は音声等の送信を可能にする手段を提供することにある。
【０００８】
【課題を解決するための手段】
本発明によるメール送受信システムは、携帯無線電話機の電波の届かない場所、もしくは電波状況が悪い場所において公衆回線を利用することにより、携帯無線電話機からメールを送ったり、自分宛のメールを受信することを可能にしたことを特徴とする。
【０００９】
具体的には、本発明の携帯無線電話機を用いたメール送受信システムは、音声通話機能と電子メールの送受信機能を有する携帯無線電話機と、前記携帯無線電話機と公衆回線の間に接続され、前記携帯無線電話機と公衆回線の間でメールデータのデジタル／アナログ変換を行う機能及び、前記携帯無線電話機からＩＤ（ｉｄｅｎｔｉｆｉｃａｔｉｏｎ）を取得し、メールの保管・転送を行うサービスセンターとの間で自動認証を行う機能を有するモデム内蔵アダプターと、前記携帯無線電話機宛に届いたメールの保管、および前記携帯無線電話機から送信したメールを宛先へ転送する機能を有する前記サービスセンターとを備え、前記公衆回線を介して前記携帯無線電話機によるメールの送受信を行うことを特徴とする。
【００１０】
ユーザは、自分の所有する携帯無線電話機を、公衆回線と接続するためのモデム内蔵アダプターと接続し、このモデム内蔵アダプターにより公衆回線を介してこのモデム内蔵アダプターを提供しているＩＳＰ（ｉｎｔｅｒｎｅｔ  ｓｅｒｖｉｃｅ  ｐｒｏｖｉｄｅｒ）のサービスセンターと接続する。サービスセンターは登録されている各ユーザのメールアドレス宛に送られてきたメールを保管し、また、携帯無線電話機より公衆回線を介して送られてきたメールを相手のメールアドレス宛に送信する。
【００１１】
本発明では、携帯無線電話機と有線電話を接続する手段であるモデム内蔵アダプターと、ユーザ宛に届いたメールの保管や送られてきたメールの送信を行うサービスセンターとを、公衆回線あるいはＩＰ網を介して接続したので、電波の届かない場所においてもメールの送受信が可能となるシステムを構築することができる。
【００１２】
【発明の実施の形態】
図１は、本発明の第１の実施形態を示すブロック図である。
【００１３】
図１において、携帯無線電話機１は音声通話機能及びメール送受信機能を備えており、メールを読み書きするためのキーボタン、カーソルボタン、文書等を表示する表示パネル等を有している。またモデム内蔵アダプター２と接続するためのインタフェースを有している。
【００１４】
モデム内蔵アダプター２は、携帯無線電話機１とモデム内蔵アダプター２を提供しているＩＳＰのサービスセンター４とを公衆回線３を介して接続するための装置であり、メールデータのデジタル／アナログ変換機能の他、携帯無線電話機１との接続時に携帯無線電話機１のＩＤを自動取得し、サービスセンター４と接続した際のユーザ認証を自動的に行うプロトコル機能を有し、携帯無線電話機１と公衆回線との間の物理インタフェースを備えている。
【００１５】
サービスセンター４は、本実施形態のメール送受信サービスを提供するＩＳＰにより例えば国内の各地にそれぞれ設置され、各サービスサンター間はＩＰ（インターネット）網、あるいは専用網等により結ばれている。また、モデム内蔵アダプター２には、サービスセンター４に接続するためのアクセスポイントの電話番号がそれぞれの設置地点とともに記録されている。
【００１６】
サービスセンター４は、ユーザ宛のメールの保管やユーザから送信されてきたメールを宛先に送信する機能を有し、モデム内蔵アダプター２からのダイヤルアップによる着信やインターネット経由のアクセスがあった際、モデム内蔵アダプター２との間で認証作業を行う機能を有する。
【００１７】
次に、本実施形態の動作について、図１を参照して説明する。
【００１８】
ユーザは、電波が届かない場所や電波状況が悪い場所において携帯無線電話機１でメールを送受信したい場合、携帯無線電話機１とともに所持しているモデム内蔵アダプター２を介して、携帯無線電話機１を公衆回線３と接続する。モデム内蔵アダプター２には予め各サービスセンター４の設置地点が登録されており、モデム内蔵アダプター２が携帯無線電話機１に接続されると、携帯無線電話機１の表示パネルに各サービスセンター４の設置地点が表示される。
【００１９】
ユーザが携帯無線電話機１の表示パネルに表示されている設置地点の中から所望の設置地点を選択して指定すると、モデム内蔵アダプター２は指定された設置地点のサービスセンター４にダイヤリングすることにより携帯無線電話機１とサービスセンター４を接続するための処理を開始する。
【００２０】
例えば、携帯無線電話機１の表示パネルに、サービスセンター４の設置地点として「福岡、大阪、名古屋、東京、仙台、札幌」と表示されている場合に、「東京」を指定すれば、モデム内蔵アダプター２は東京に設置されているサービスセンター４と接続するための処理を行う。その際、携帯無線電話機１の表示パネルに表示されたサービスセンター４の設置地点の中から現在自分が位置している場所に最も近い設置地点を選択すれば、一番近いサービスセンター４と接続されるので、公衆回線を利用するための通信費を最小限に抑えることができる。
【００２１】
また、モデム内蔵アダプター２が携帯無線電話機１に接続されると、自動的に携帯無線電話機１のＩＤがモデム内蔵アダプター２に読み込まれ、サービスセンター４に接続する際の認証に使われる。サービスセンター４に接続した後は、携帯無線電話機１の通常の操作でメールを受信したり、作成した文書を送信したりすることが可能となる。
【００２２】
本実施形態によれば、携帯無線電話機の電波の届かない場所や電波状況のよくない場所であっても、公衆回線に接続可能であれば、この携帯無線電話機によりメール送受信を行うことが可能となり、携帯無線電話機の利用範囲を拡げることができる。
【００２３】
図２は、本発明の第２の実施形態を示すブロック図である。本実施形態では、国内にサービスセンターを有するＩＳＰが、海外（国外）の公衆回線と接続するローミングサービスセンターを設置しているＩＳＰと提携することにより、海外において国際ローミングサービスを利用して国内のサービスセンターにアクセス可能に構成している。
【００２４】
図２において、モデム内蔵アダプター２には、このモデム内蔵アダプター２を提供しているＩＳＰと提携している海外のＩＳＰのローミングサービスセンター５と接続するためのアクセスポイントの電話番号がその設置地点（地名）とともに記録されている。アクセスポイントへの接続は国内でサービスセンターへ接続する場合と同様に行われる。
【００２５】
すなわち、ユーザは、海外において携帯無線電話機１でメールを送受信したい場合、モデム内蔵アダプター２を携帯無線電話機１と海外の公衆回線３の間に接続する。そして、モデム内蔵アダプター２から携帯無線電話機１の表示パネルに表示された設置地点（地名）をユーザが選択することにより、その場所に設置されている提携ＩＳＰのアクセスポイント（ローミングサービスセンター５）と接続される。
【００２６】
ローミングサービスセンター５は、インターネット６を介して提携している国内のＩＳＰが設置したサービスセンター４と接続されているので、携帯無線電話機１は、海外の公衆回線３とローミングサービスセンター５経由で国内のサービスセンター４と接続される。
【００２７】
従って、ユーザは海外でモデム内蔵アダプター２を利用することによって各都市にある提携ＩＳＰのローミングサービスセンター５と接続することにより、安価な市内接続料金とローミングサービス料金のみで国内のサービスセンターに保管されているメールの取得と送信が可能となる。
【００２８】
図３は、本発明の第３の実施形態を示すブロック図である。本実施形態では、携帯無線電話機１の持つ音声圧縮機能を利用して音声圧縮を行い、公衆回線を介してインターネット及びＶｏＩＰゲートウェイ機能を備えたサービスセンター経由で国内の公衆回線に接続することにより、ＩＰ電話機能を持たせた構成としている。
【００２９】
図３において、モデム内蔵アダプター２には、このモデム内蔵アダプター２を提供しているＩＳＰと提携している海外のＩＳＰのローミングサービスセンター５と接続するためのアクセスポイントの電話番号がその設置地点（地名）とともに記録されている。アクセスポイントへの接続は国内でサービスセンターへ接続する場合と同様に行われる。
【００３０】
ユーザは、海外において携帯無線電話機１でインターネット電話をかける場合、モデム内蔵アダプター２を携帯無線電話機１と海外の公衆回線３の間に接続する。そして、モデム内蔵アダプター２から携帯無線電話機１の表示パネルに表示された設置地点（地名）をユーザが選択することにより、その場所に設置されている提携ＩＳＰのアクセスポイント（ローミングサービスセンター５）と接続される。
【００３１】
ローミングサービスセンター５では音声をデータとしてインターネット６（あるいは自網）に乗せて、提携先である国内のサービスセンター４に接続し、送信する。サービスセンター４はＶｏＩＰ（Ｖｏｉｃｅ  ｏｖｅｒ  Ｉｎｔｅｒｎｅｔ  Ｐｒｏｔｏｃｏｌ）ゲートウェイ機能を有し、該当国内の公衆回線３にデータを乗せ変える。これにより、ユーザは携帯無線電話機１とモデム内蔵アダプター２を持って行けば、市内通話料金＋ローミングサービス利用料金のみで安価な国際電話が利用できるようになる。
【００３２】
図４は、本発明の第４の実施形態を示すブロック図である。本実施形態は、上記ＩＰ電話機能を国内でも利用することを可能にした構成となっている。
【００３３】
図４において、モデム内蔵アダプター２には、このモデム内蔵アダプター２を提供しているＩＳＰのサービスセンター４と接続するためのアクセスポイントの電話番号がその設置地点（地名）とともに記録されている。アクセスポイントへの接続は図１の場合と同様に行われる。
【００３４】
ユーザが、公衆回線３を介して携帯無線電話機１でインターネット電話をかける場合、音声データは、モデム内蔵アダプター２、公衆回線３を経由してサービスセンター４へ送信される。サービスセンター４では受信した音声データをこのＩＳＰが所有しているＩＰ電話網７に乗せて、着呼先側に設置されているサービスセンター４に送信し、再度着呼先の公衆回線３にデータを乗せ変える。
【００３５】
本実施形態においても、モデム内蔵アダプター２に登録されたアクセスポイントから最も近いサービスセンター４を接続先として選択することにより安価に通話することが可能となる。
【００３６】
図５は、本発明の第５の実施形態を示すブロック図である。本実施形態は、モデム内蔵アダプターに無線ＬＡＮ機能を持たせた構成としている。
【００３７】
図５において、携帯無線電話機１と接続されるモデム内蔵アダプターは、無線ＬＡＮ機能も有する無線機能内蔵アダプター２として構成されている。一方、ローミングサービスセンター５が提供する自網（ＩＰ網）９には、無線機能内蔵アダプター２との間で無線ＬＡＮにより送受信を行う無線ＬＡＮ基地局８が接続されている。
【００３８】
本実施形態では、携帯無線電話機１と接続されるモデム内蔵アダプターが、無線機能内蔵アダプター２として構成され、無線ＬＡＮ基地局８を介してＩＰＳのローミングサービスセンター５に送信されることにより、携帯電話機１とサービスセンター４間の接続処理が実行される。無線ＬＡＮにより送受信を行う点を除く携帯無線電話機１とローミングサービスセンター間の接続動作は、上記第１〜第４の実施形態と同様である。
【００３９】
本実施形態によれば、携帯無線電話機と公衆回線の接続ポイントを探さなくとも無線ＬＡＮの使用できる環境下に行けば、自動的にインターネットに接続し、メールの送受信やＩＰ電話が可能となる。
【００４０】
図６は、本発明の第６の実施形態を示すブロック図である。本実施形態は、第５の実施形態における無線機能内蔵アダプター２に、ＧＰＳ機能を内蔵させた無線機能＋ＧＰＳ機能内蔵アダプター２として構成している。
【００４１】
本実施形態では、携帯電話機１にこの無線機能＋ＧＰＳ機能内蔵アダプター２が接続されると、無線機能＋ＧＰＳ機能内蔵アダプター２は、ＧＰＳ機能により位置を検出し、該アダプター２に登録されているアクセスポイント（ローミングサービスセンター）５の中から一番近いアクセスポイントを自動的に選択して接続処理を実行する。
【００４２】
本実施形態によれば、ユーザがアクセスポイントを選ばなくても、アダプターに内蔵したＧＰＳ機能によりこのアダプター２が接続された携帯無線電話機の一番近いアクセスポイントを自動的に選択するので、ユーザは無線ＬＡＮ基地局８の近くで、携帯無線電話機１と無線機能＋ＧＰＳ機能内蔵アダプター２を接続するだけでメールの送受信やＩＰ電話が可能となる。
【００４３】
なお、上記第１〜第４の実施形態におけるモデム内蔵アダプター２に対して、上記ＧＰＳ機能を内蔵して構成することも可能である。その場合には、携帯無線電話機１をＧＰＳ機能付モデム内蔵アダプター２を介して公衆回線と接続すれば、上記第６の実施形態と同様の作用効果を奏することができる。
【００４４】
【発明の効果】
本発明は、携帯無線電話機と公衆回線を接続しメールデータのデジタル／アナログ変換を行うモデムと携帯無線電話機からＩＤを取得しサービスセンターと自動認証を行う機能を有するモデム内蔵アダプターと、メールの保管、転送を行うサービスセンターを設けているので、携帯無線電話機の電波の届かない場所や電波状況のよくない場所においても、有線電話設備を利用してメールを送ったり受信したりすることが可能となる。
【００４５】
また、海外（国外）においても、モデム内蔵の専用アダプターのみを利用するだけで携帯無線電話機を用いてメールの送受信あるいは国際電話をかけることも可能となり、携帯に便利であって、ノートパソコンのように場所を取らず荷物になることもない利点もある。
【図面の簡単な説明】
【図１】本発明の第１の実施形態を示すブロック図である。
【図２】本発明の第２の実施形態を示すブロック図である。
【図３】本発明の第３の実施形態を示すブロック図である。
【図４】本発明の第４の実施形態を示すブロック図である。
【図５】本発明の第５の実施形態を示すブロック図である。
【図６】本発明の第６の実施形態を示すブロック図である。
【符号の説明】
１  携帯無線電話機
２  モデム内蔵アダプター
３  公衆回線
４  サービスセンター
５  ローミングサービスセンター
６  インターネット
７  ＩＰ電話網
８  無線ＬＡＮ基地局
９  ＩＰ網
【図１】
2004349868.tif 000003
【図２】
2004349868.tif 000004
【図３】
2004349868.tif 000005
【図４】
2004349868.tif 000006
【図５】
2004349868.tif 000007
【図６】
2004349868.tif 000008